(57)【要約】【課題】  擁壁を構築する際の積み上げの容易性を損なうことなく、ヤード等において、スペース的に効率良く、かつ、安定して積み上げることができる、擁壁ブロックを提供する。【解決手段】  擁壁ブロック２のブロック本体３は、前壁３ａと、後壁３ｂと、これら前壁３ａと後壁３ｂとを連結する連結壁３ｃとからなる。前壁３ａは、斜め上方を向くように傾斜する、方形形状のブロック前面３ｄを有する。後壁３ｂは、前記ブロック前面３ｄと平行でほぼ同形状のブロック後面３ｆを有し、前壁３ａよりも後方下部に位置している。そして、ブロック本体３の上下面は、前側に、水平な、前側上面３ｈと前側下面３ｉとを有し、後側下部に、水平な、後側上面３ｊと後側下面３ｋとを有している。そこで、擁壁ブロック２は、ブロック前面３ｄの傾斜方向に、ブロック本体３の上下面が重ねられるようにして積み上げられる。【選択図】  図１
2007239237.tif 000002
【特許請求の範囲】
【請求項１】
斜め上方を向くように傾斜するブロック前面を有する前壁と、前記ブロック前面と平行なブロック後面を有する後壁と、これら前壁と後壁とを連結する連結部とからなる、ブロック本体を備えて、前記ブロック前面の傾斜方向に、前記ブロック本体の上下面が重ねられるようにして積み上げ可能な擁壁ブロックであって、
前記前壁よりも前記後壁が後方下部に位置して、前記ブロック本体の上下面は、前側に、水平な、前側上面と前側下面とを有し、後側下部に、水平な、後側上面と後側下面とを有し、
前記積み上げによって、前記前側上面と前記前側下面とが重なることが可能で、かつ、前記後側上面と前記後側下面とが重なることが可能となっていることを特徴とする擁壁ブロック。
【請求項２】
前記ブロック本体の上面には、前記積み上げによって、前記ブロック本体の下面側に係合することが可能な係合凸部が設けられていることを特徴とする請求項１に記載の擁壁ブロック。
【請求項３】
前記ブロック本体の下面には、前記積み上げによって、前記ブロック本体の上面側に係合することが可能な係合凸部が設けられていることを特徴とする請求項１に記載の擁壁ブロック。
【請求項４】
前記ブロック本体の上面は、前記前側上面と前記後側上面とを繋ぐ第１繋ぎ面を有して、前記ブロック本体は、前記ブロック前面と前記前側上面と前記第１繋ぎ面とで囲まれる、上方に突出する第１突出部を備え、
前記ブロック本体の下面は、前記前側下面と前記後側下面とを繋ぐ第２繋ぎ面を有して、前記ブロック本体は、前記ブロック後面と前記後側下面と前記第２繋ぎ面とで囲まれる、下方に突出する第２突出部を備え、
前記積み上げによって、前記第１突出部と前記第２突出部とが互いに係合可能となっていることを特徴とする請求項１ないし３のいずれか１項に記載の擁壁ブロック。
【発明の詳細な説明】
【技術分野】
【０００１】
この発明は、擁壁を構築するための擁壁ブロックに関するものである。
【背景技術】
【０００２】
従来、この種の擁壁ブロックとして、図１２および図１３に示される擁壁ブロック２１が知られていた（例えば、特許文献１参照）。この擁壁ブロック２１は、斜め上方を向くように傾斜する前面を有する前壁２２と、その前壁２２の後方に位置する後壁２３と、これら前壁２２と後壁２３とを連結する連結壁２４とから構成されていた。そして、この擁壁ブロック２１の前壁２２と後壁２３とは同一の高さに位置して、擁壁ブロック２１の上面２５と下面２６とは前壁２２から後壁２３に渡って水平に保たれていた。そして、このように、擁壁ブロック２１の上面２５と下面２６とが水平となっていることで、擁壁を構築する際の擁壁ブロック２１の積み上げが容易となっていた。
【０００３】
【特許文献１】実用新案登録第２５１２６５１号公報
【発明の開示】
【発明が解決しようとする課題】
【０００４】
ところで、前記従来の擁壁ブロック２１においては、養生あるいはストックのために、ヤードに積み上げる際には、図１４に示すように、擁壁ブロック２１を、例えば前壁２２を下にして、真直ぐ上方に積み上げるのが、スペース上効率的であった。しかし、このように、擁壁ブロック２１を真直ぐ上方に積み上げると、下側の擁壁ブロック２１の後壁２３に対して上側の擁壁ブロック２１の前壁２２が大きくずれて安定が悪く、工場内ストックヤードでの、高く積み上げるという効率的な積み上げを採用することが困難であった。
【０００５】
この発明は、上記した従来の欠点を解決するためになされたものであり、その目的とするところは、擁壁を構築する際の積み上げの容易性を損なうことなく、ヤード等において、スペース的に効率良く、かつ、安定して積み上げることができる、擁壁ブロックを提供することにある。
【課題を解決するための手段】
【０００６】
この発明に係る擁壁ブロックは、前記目的を達成するために、次の構成からなる。すなわち、
請求項１に記載の発明に係る擁壁ブロックは、斜め上方を向くように傾斜するブロック前面を有する前壁と、前記ブロック前面と平行なブロック後面を有する後壁と、これら前壁と後壁とを連結する連結部とからなる、ブロック本体を備えて、前記ブロック前面の傾斜方向に、前記ブロック本体の上下面が重ねられるようにして積み上げ可能な擁壁ブロックである。この擁壁ブロックは、前記前壁よりも前記後壁が後方下部に位置して、前記ブロック本体の上下面は、前側に、水平な、前側上面と前側下面とを有し、後側下部に、水平な、後側上面と後側下面とを有し、前記積み上げによって、前記前側上面と前記前側下面とが重なることが可能で、かつ、前記後側上面と前記後側下面とが重なることが可能となっている。
【０００７】
この擁壁ブロックによると、前壁よりも後壁が後方下部に位置しているので、この擁壁ブロックを成形後、養生とかストック等のために、ヤード等に積み上げる場合に、スペース上の効率を考慮して、例えば前壁を下にして、真直ぐ上方に積み上げた際に、下側の擁壁ブロックの後壁に対する上側の擁壁ブロックの前壁のずれを小さしたり、あるいは無くすことができる。そして、この擁壁ブロックを正規の向きで積み上げて擁壁を構築する際には、下側の擁壁ブロックの前側上面と後側上面とに、上側の擁壁ブロックの前側下面と後側下面とが、それぞれ重なるようにする。このとき、互いに重なる、前側上面と前側下面、および、後側上面と後側下面は、水平となっているため、この擁壁ブロックを容易に積み上げることができる。
【０００８】
また、請求項２に記載の発明に係る擁壁ブロックは、請求項１に記載の擁壁ブロックにおいて、前記ブロック本体の上面には、前記積み上げによって、前記ブロック本体の下面側に係合することが可能な係合凸部が設けられている。
【０００９】
また、請求項３に記載の発明に係る擁壁ブロックは、請求項１に記載の擁壁ブロックにおいて、前記ブロック本体の下面には、前記積み上げによって、前記ブロック本体の上面側に係合することが可能な係合凸部が設けられている。
【００１０】
また、請求項４に記載の発明に係る擁壁ブロックは、請求項１ないし３のいずれか１項に記載の擁壁ブロックにおいて、前記ブロック本体の上面は、前記前側上面と前記後側上面とを繋ぐ第１繋ぎ面を有して、前記ブロック本体は、前記ブロック前面と前記前側上面と前記第１繋ぎ面とで囲まれる、上方に突出する第１突出部を備える。一方、前記ブロック本体の下面は、前記前側下面と前記後側下面とを繋ぐ第２繋ぎ面を有して、前記ブロック本体は、前記ブロック後面と前記後側下面と前記第２繋ぎ面とで囲まれる、下方に突出する第２突出部を備える。そこで、前記積み上げによって、前記第１突出部と前記第２突出部とが互いに係合可能となっている。
【発明の効果】
【００１１】
この発明に係る擁壁ブロックによれば、擁壁ブロックを積み上げて擁壁を構築する際には、互いに重なる、前側上面と後側上面、および、前側下面と後側下面とが、水平となっているため、この擁壁ブロックの積み上げの容易性を損なうことがない。そして、この擁壁ブロックは、前壁よりも後壁が後方下部に位置しているので、ヤード等において、例えば前壁を下にして、真直ぐ上方に積み上げた際に、下側の擁壁ブロックの後壁に対する上側の擁壁ブロックの前壁のずれを小さしたり、あるいは無くすことができ、スペース的に効率良く、かつ、安定して積み上げることができる。
【発明を実施するための最良の形態】
【００１２】
以下、この発明に係る擁壁ブロックを実施するための最良の形態を図面に基づいて説明する。
【００１３】
図１〜図７は、本発明の一実施の形態を示す。図中符号１は、崖や山の斜面等における土留めのための擁壁である。２は、前記擁壁１を構築する擁壁ブロックである。
【００１４】
擁壁ブロック２は、例えばコンクリート製であって、そのブロック本体３は、前壁３ａと、後壁３ｂと、これら前壁３ａと後壁３ｂとを連結する連結部としての連結壁３ｃとからなる。ここで、前壁３ａは、斜め上方を向くように傾斜する、方形形状のブロック前面３ｄを有している。この前壁３ａは、壁厚が幅中央ほど厚くなるように、内面３ｅが、テーパ状に形成されている。そして、前記ブロック前面３ｄには、石積みの模様が付されている。また、後壁３ｂは、前記ブロック前面３ｄと平行でほぼ同形状のブロック後面３ｆを有している。この後壁３ｂは、前壁３ａと同様に、壁厚が幅中央ほど厚くなるように、内面３ｇが、テーパ状に形成されている。
【００１５】
ここにおいて、ブロック本体３は、前壁３ａよりも後壁３ｂが後方下部に位置している。そこで、ブロック本体３の上下面は、前側に、水平な、前側上面３ｈと前側下面３ｉとを有し、後側下部に、水平な、後側上面３ｊと後側下面３ｋとを有している。また、ブロック本体３の上面は、前側上面３ｈと後側上面３ｊとを繋ぐ傾斜面からなる第１繋ぎ面３ｍを有して、ブロック本体３は、ブロック前面３ｄと前側上面３ｈと第１繋ぎ面３ｍとで囲まれる、上方に突出する第１突出部３ｎを備えている。一方、ブロック本体３の下面は、前側下面３ｉと後側下面３ｋとを繋ぐ、前記第１繋ぎ面３ｍと平行に傾斜する傾斜面からなる第２繋ぎ面３ｐを有して、ブロック本体３は、ブロック後面３ｆと後側下面３ｋと第２繋ぎ面３ｐとで囲まれる、下方に突出する第２突出部３ｑを備えている。そして、このブロック本体３（擁壁ブロック２）は、前記ブロック前面３ｄの傾斜方向に、ブロック本体３の上下面が重ねられるようにして積み上げ可能となっている。さらに、この積み上げによって、前側上面３ｈと前側下面３ｉとが重なることが可能で、かつ、後側上面３ｊと後側下面３ｋとが重なることが可能となっている。
【００１６】
詳細には、前壁３ａと後壁３ｂとを連結する連結壁３ｃは、ブロック本体３の幅中央部分に設けられている。このブロック本体３において、前壁３ａの上面および、その前壁３ａの上面から連結壁３ｃの上面に掛けての部分が、前記前側上面３ｈとなっており、前壁３ａの下面および、その前壁３ａの下面から連結壁３ｃの下面に掛けての部分が、前記前側下面３ｉとなっている。そして、後壁３ｂの上面および、その後壁３ｂの上面から連結壁３ｃの上面の中間位置に掛けての部分が、前記後側上面３ｊとなっており、後壁３ｂの下面および、その後壁３ｂの下面から連結壁３ｃの下面の中間位置に掛けての部分が、前記後側下面３ｋとなっている。
【００１７】
また、ブロック本体３の上面には、擁壁ブロック２、２の積み上げによって、ブロック本体３の下面側に係合することが可能な係合凸部４が設けられている。図示実施の形態においては、この係合凸部４は、ブロック本体３の前側上面３ｈに設けられて、上に積まれるブロック本体３（擁壁ブロック２）の前壁３ａの内面３ｅに係合する第１係合凸部４ａと、ブロック本体３の後側上面３ｊに設けられて、上に積まれるブロック本体３（擁壁ブロック２）の後壁３ｂの内面３ｇに係合する第２係合凸部４ｂとからなる。なお、図中符号３ｒは、連結壁３ｃに明けられた通孔である。３ｓ、３ｔは、前壁３ａおよび後壁３ｂの側面に設けられた、水抜きのための切欠きであり、特に、前壁３ａに設けられた切欠き３ｓは、打ち抜くことが可能な、ブロック前面３ｄ側の薄肉部３ｕを残すようにして形成されている。
【００１８】
具体的には、擁壁１は、コンクリート製のベース擁壁ブロック５と、そのベース擁壁ブロック５上に積み上げられる、前記擁壁ブロック２としての第１擁壁ブロック２ａと、その第１擁壁ブロック２ａ上に積み上げられる、前記擁壁ブロック２としての第２擁壁ブロック２ｂとから構成されている。そして、これら、ベース擁壁ブロック５、第１擁壁ブロック２ａ、および第２擁壁ブロック２ｂは、ブロック前面３ｄを合わせるようにして、左右および上下に並べられるが、上下のブロックにおいて、横に並ぶピッチの１／２だけ、左右方向にずれるようにして積み上げられる（図１、図２参照）。
【００１９】
ここで、第２擁壁ブロック２ｂは、第１擁壁ブロック２ａの後壁３ｂを前方に移すようにして、その第１擁壁ブロック２ａよりも、奥行寸法が小さく形成されている。そして、第１擁壁ブロック２ａと第２擁壁ブロック２ｂとが積み重なる部分において、第１擁壁ブロック２ａの第１係合凸部４ａが、第２擁壁ブロック２ｂの前壁３ａの内面３ｅに係合し、第１擁壁ブロック２ａの第２係合凸部４ｂが、第２擁壁ブロック２ｂのブロック後面３ｆに係合する。ところで、第１擁壁ブロック２ａには、そのブロック本体３の後側上面３ｊに、上に積まれる第２擁壁ブロック２ｂの前壁３ａの内面３ｅに係合することが可能な、係合凸部４としての第３係合凸部４ｃが設けられている。
【００２０】
ベース擁壁ブロック５は、おおよそ、第１擁壁ブロック２ａにおいて、第２突出部３ｑを取り除いたような形状をしており、その上面には、第１擁壁ブロック２ａと同様に、第１〜第３係合凸部４ａ、４ｂ、４ｃが設けられている。なお、図中符号６は、土壌、７は、基礎材、８は、均しコンクリート、９は、裏込材、１０は、天端コンクリートである。そして、１１は、切欠き３ｓ、３ｔ間に渡される水抜きパイプ、１２は、吸出防止材である。また、図示を省略するが、ベース擁壁ブロック５および擁壁ブロック２における、前壁３ａと後壁３ｂとの間には、胴込コンクリートが打設される。
【００２１】
この擁壁ブロック２によると、前壁３ａよりも後壁３ｂが後方下部に位置しているので、この擁壁ブロック２を成形後、養生とかストック等のために、ヤード等に積み上げる場合に、スペース上の効率を考慮して、例えば前壁３ａを下にして、真直ぐ上方に積み上げた際に、下側の擁壁ブロック２の後壁３ｂに対する上側の擁壁ブロック２の前壁３ａのずれを小さしたり（図５、図７参照）、あるいは無くすことができる。そして、この擁壁ブロック２を正規の向きで積み上げて擁壁１を構築する際には、下側の擁壁ブロック２の前側上面３ｈと後側上面３ｊとに、上側の擁壁ブロック２の前側下面３ｉと後側下面３ｋとが、それぞれ重なるようにする。このとき、互いに重なる、前側上面３ｈと前側下面３ｉ、および、後側上面３ｊと後側下面３ｋは、水平となっているため、安定性がよく、この擁壁ブロック２を容易に積み上げることができる。しかも、擁壁ブロック２を積み上げる際には、擁壁ブロック２が、係合凸部４によって位置決めされるため、この擁壁ブロック２を一層容易に積み上げることができる。
【００２２】
なお、本発明は、上述した実施の形態に限定されるわけではなく、その他種々の変更が可能である。例えば、擁壁１は、第１擁壁ブロック２ａと、第２擁壁ブロック２ｂとが、順次積み上げられるが、図８に示すように、さらに、第１擁壁ブロック２ａの下方において積み上げられる、擁壁ブロック２としての第３擁壁ブロック２ｃを設けてもよい。この第３擁壁ブロック２ｃは、第１擁壁ブロック２ａよりも、奥行寸法が大きく形成されている。ここで、第３擁壁ブロック２ｃと第１擁壁ブロック２ａとの間においては、第３擁壁ブロック２ｃの第１係合凸部４ａが、第１擁壁ブロック２ａの前壁３ａの内面３ｅに係合し、第３擁壁ブロック２ｃの第２係合凸部４ｂと第３係合凸部４ｃとが、それぞれ、第１擁壁ブロック２ａのブロック後面３ｆと後壁３ｂの内面３ｇとに係合する。図９は、図５相当図であり、第３擁壁ブロック２ｃを、ヤード等において、前壁３ａを下にして、真直ぐ上方に積み上げた状態を示している。
【００２３】
また、擁壁ブロック２は、各段が、左右方向にずれるようにして積み上げられなくとも、例えば係合凸部４を取り除く等して、左右方向にずれることなく積み上げられてもよい。
【００２４】
また、擁壁ブロック２を、各段が、左右方向にずれることなく積み上げることで、各段の連結壁３ｃが上下に連なる場合とか、左右方向にずれて積み上げた場合であっても、前壁３ａおよび後壁３ｂに対する連結壁３ｃの左右方向の位置および数を調整して、各段の連結壁３ｃが上下に連なる場合には、上下の擁壁ブロック２において、第１突出部３ｎと第２突出部３ｑとが互いに係合可能となるよう、それら第１および第２突出部３ｎ、３ｑを形成してもよい。
【００２５】
また、ブロック本体３の上面には、積み上げによって、ブロック本体３の下面側に係合することが可能な係合凸部４が設けられているが、図１０に示すように、ブロック本体３の下面に、積み上げによって、ブロック本体３の上面側に係合することが可能な係合凸部１３が設けられてもよい。この図１０において、擁壁ブロック２は、後側上面３ｊが、後壁３ｂの上面と、その上面から一段下がった、連結壁３ｃ（連結部）の上面とからなっている。そして、前側下面３ｉには、連結壁３ｃ側に、第１突出部３ｎに係合することが可能な、係合凸部１３としての第１係合凸部１３ａが設けられており、その後方に窪み３ｘが設けられている。また、後側下面３ｋには、連結壁３ｃ側に、後壁３ｂに係合することが可能な、係合凸部１３としての第２係合凸部１３ｂが設けられている。ここで、擁壁ブロック２は、各段の連結壁３ｃが上下に連なるように、積み上げられる。そして、この積み上げは、擁壁ブロック２の各段を、左右方向にずれることなく積み上げた場合の他に、左右方向にずれて積み上げた場合であっても、各段の連結壁３ｃが上下に連なるように、前壁３ａおよび後壁３ｂに対する連結壁３ｃの左右方向の位置および数が設定されている場合を含むものである。図１１は、図５相当図であり、この擁壁ブロック２を、ヤード等において、前壁３ａを下にして、真直ぐ上方に積み上げた状態を示している。
【図面の簡単な説明】
【００２６】
【図１】この発明の一実施の形態の、擁壁の側面図である。
【図２】同じく、擁壁の正面図である。
【図３】同じく、第１擁壁ブロックの側面図である。
【図４】同じく、第１擁壁ブロックの平面図である。
【図５】同じく、第１擁壁ブロックを、その前壁を下にして積み上げた状態を示す側面図である。
【図６】同じく、第２擁壁ブロックの側面図である。
【図７】同じく、第２擁壁ブロックを、その前壁を下にして積み上げた状態を示す側面図である。
【図８】この発明の他の実施の形態の、第３擁壁ブロックを示す側面図である。
【図９】同じく、第３擁壁ブロックを、その前壁を下にして積み上げた状態を示す側面図である。
【図１０】この発明のさらに他の実施の形態の、擁壁ブロックを示す側面図である。
【図１１】同じく、擁壁ブロックを、その前壁を下にして積み上げた状態を示す側面図である。
【図１２】従来の、擁壁ブロックの斜視図である。
【図１３】同じく、擁壁ブロックの側面図である。
【図１４】同じく、擁壁ブロックを、その前壁を下にして積み上げた状態を示す側面図である。
【符号の説明】
【００２７】
２  擁壁ブロック
２ａ  第１擁壁ブロック（擁壁ブロック）
２ｂ  第２擁壁ブロック（擁壁ブロック）
２ｃ  第３擁壁ブロック（擁壁ブロック）
３  ブロック本体
３ａ  前壁
３ｂ  後壁
３ｃ  連結壁（連結部）
３ｄ  ブロック前面
３ｆ  ブロック後面
３ｈ  前側上面
３ｉ  前側下面
３ｊ  後側上面
３ｋ  後側下面
３ｍ  第１繋ぎ面
３ｎ  第１突出部
３ｐ  第２繋ぎ面
３ｑ  第２突出部
４  係合凸部
４ａ  第１係合凸部（係合凸部）
４ｂ  第２係合凸部（係合凸部）
４ｃ  第３係合凸部（係合凸部）
１３  係合凸部
１３ａ  第１係合凸部（係合凸部）
１３ｂ  第２係合凸部（係合凸部）
【図１】
2007239237.tif 000003
【図２】
2007239237.tif 000004
【図３】
2007239237.tif 000005
【図４】
2007239237.tif 000006
【図５】
2007239237.tif 000007
【図６】
2007239237.tif 000008
【図７】
2007239237.tif 000009
【図８】
2007239237.tif 000010
【図９】
2007239237.tif 000011
【図１０】
2007239237.tif 000012
【図１１】
2007239237.tif 000013
【図１２】
2007239237.tif 000014
【図１３】
2007239237.tif 000015
【図１４】
2007239237.tif 000016